(57)【要約】  【課題】  複数のサムネイル画像データをレスポンスよく読出すことが可能な光ディスク、光ディスクへの画像データ記録方法、及び、光ディスクからの画像データ読出し方法を提供する。  【解決手段】  少なくとも本画像データとその属性データからなる所定のファイルフォーマットで生成された複数の本画像ファイルが記録されている光ディスクであって、前記本画像ファイルの夫々に対応するサムネイル画像ファイル０８が連続するセクタ０９１、０９２、０９３またはセクタ群１０１、１０２、１０３に連続して記録され、前記サムネイル画像ファイル０８は、少なくとも、前記本画像ファイルとのリンクデータ０８ｂと、前記本画像データを縮小したサムネイル画像データ０８ｃとからなる。【選択図】  図２
2006302352.tif 000002
【特許請求の範囲】
【請求項１】
少なくとも本画像データが所定のファイルフォーマットで構成される複数の本画像ファイルが記録されている光ディスクであって、
前記本画像ファイルの夫々に対応する複数のサムネイル画像ファイルが、記録トラックに沿って連続して配置されるセクタに連続して記録されている光ディスク。
【請求項２】
前記サムネイル画像ファイルの夫々が、前記本画像ファイルとのリンクデータと前記本画像データに対応するサムネイル画像データとを備えて構成されている請求項１記載の光ディスク。
【請求項３】
少なくとも本画像データが所定のファイルフォーマットで構成される複数の本画像ファイルを記録する光ディスクへの画像データ記録方法であって、
前記本画像ファイルの夫々に対応するサムネイル画像ファイルを生成するサムネイル画像ファイル生成ステップと、前記生成したサムネイル画像ファイルの夫々を記録トラックに沿って連続して配置されるセクタに連続して記録するサムネイル画像ファイル記録ステップとを備えて構成される光ディスクへの画像データ記録方法。
【請求項４】
請求項１または２記載の光ディスクに記録されている複数のサムネイル画像ファイルを前記本画像ファイルの読出し処理に優先して連続して読み出す光ディスクからの画像データ読出し方法。
【発明の詳細な説明】
【技術分野】
【０００１】
本発明は、光ディスク、光ディスクへの画像データ記録方法、及び、光ディスクからの画像データ読出し方法に関する。
【背景技術】
【０００２】
光ディスクの一種であるＣＤ，ＣＤ−Ｒ，ＣＤ−ＷＲ等のコンパクトディスクはディスクの内周側から外周側に向けてらせん状につながった１本のトラックに沿ってデータが書き込まれ、または書込み可能に構成されており、前記トラックに沿って所定長さのデータが書き込まれる複数のセクタが連続配置されている。
【０００３】
セクタのフォーマットは音楽等の記録データの種類に対応して複数存在するが、画像データを記録する場合には、同期データ領域、ヘッダ領域、エラー検出修正コード領域、及びデータ領域で構成され、通常データ領域には２０４８バイトのデータが記録可能である。一纏りのデータが前記一つのセクタに記録可能な容量よりも大きな場合には一纏りのデータが分割されて複数のセクタに記録され、また、一纏りのデータが一つのセクタに記録可能な容量よりも小さな場合には、前記一つのセクタに一纏りのデータのみが記録されるように構成されている。
【０００４】
また、前記光ディスクはその内周側に設けられるリードインエリア（ＬＩＡ：Lead In Area）に当該光ディスクに記録されているファイル情報を示すＴＯＣ（Table of Contents）領域（以下、「ディレクトリ領域」とも記す。）が設定され、その後にプログラムやデータ等の情報を記録するプログラムエリア（ＰＡ：Program Area）と、前記プログラムエリアが終了したことを示すリードアウトエリア（ＬＯＡ：Lead Out Area）の各領域が構成されている。
【０００５】
光ディスク読出し装置（以下、「メディアドライバ」とも記す。）における光ピックアップは、前記光ディスクの初期読出し動作時にトラックの最内周部にセットされ、前記リードインエリアに記録されているＴＯＣを最初に読み出して前記プログラムエリアに記録されているプログラムやデータの記録位置等の情報を取得し、プログラムやデータを読出す際にＴＯＣに示されるファイル格納アドレス情報に基づいて前記光ピックアップを移動させ、目的のプログラムやデータを読み出すように構成されている。尚、前記光ピックアップは、前記光ディスクが回転することで、当該光ピックアップの焦点位置を通過するセクタに記録されているデータを読取りながら、前記らせん状に形成されているトラックに従って、順次前記光ディスクの内周部から外周部に向かって移動するように構成されている。
【０００６】
ところで、近年、画像ファイルのフォーマット形式として、図１０に示すような、Ｅｘｉｆ（Exchangeable Image File Format）規格が多く用いられるようになっている。Ｅｘｉｆ規格では、ＪＰＥＧ（Joint Photograph Expert Group）形式等の本画像データについての画像サイズやＪＰＥＧ画像である場合にはその圧縮率等の情報や撮影日時等の付加情報でなる属性データを記録できるほか、前記本画像データを縮小したサムネイル画像データを記録することが可能となっている。このため、パーソナルコンピュータにインストールされたビュワーを用いて、Ｅｘｉｆ規格の画像ファイルがプログラムエリアに格納された光ディスクから画像を読み出すとき、本画像データを読出す代りにデータ容量が縮小されたサムネイル画像データを先に読み出してインデックス表示を迅速に行なうことで、読出しレスポンスを向上させ、快適に画像ファイルの内容が確認できるように構成されている。
【特許文献１】特開２００４−２９７４３７号公報
【発明の開示】
【発明が解決しようとする課題】
【０００７】
しかし、近年の画像データの高精細化の流れの下、Ｅｘｉｆ規格の画像ファイルは非常にファイル容量が大きく、一つの画像ファイルが連続する複数のセクタに分割されて記録されるため、例えば、図１１に示すように、前記光ディスクに複数の画像ファイルが連続したセクタ群連続して記録されていたとしても、夫々の画像ファイルからサムネイル画像データを順次読出すためには、夫々のサムネイル画像データの記録領域が前記光ピックアップの焦点位置に回転してくるまで待たざるを得ず、長いシーク時間が必要になるという問題があった。つまり、個々のサムネイル画像データを読出す際には読込みレスポンスは速いのであるが、複数のサムネイル画像データを読出すための回転待ち時間が長くなり全体として読出しレスポンスが大きく低下することが問題となっているのである。
【０００８】
本発明は、上述した従来の問題点に鑑み、複数のサムネイル画像データをレスポンスよく読み出し、迅速にインデックス表示等ができる光ディスク、光ディスクへの画像データ記録方法、及び、光ディスクからの画像データ読出し方法を提供する点にある。
【課題を解決するための手段】
【０００９】
上述の目的を達成するため、本発明による光ディスクの第一の特徴構成は、特許請求の範囲の書類の請求項１に記載した通り、少なくとも本画像データが所定のファイルフォーマットで構成される複数の本画像ファイルが記録されている光ディスクであって、前記本画像ファイルの夫々に対応する複数のサムネイル画像ファイルが、記録トラックに沿って連続して配置されるセクタに連続して記録されている点にある。
【００１０】
上述の構成によれば、記録トラックに沿って連続して配置されるセクタに連続して記録されているサムネイル画像ファイルを、長いシーク時間が発生することなく連続して読み出せるので、迅速にインデックス表示等の所要の処理を行なうことができるようになるのである。
【００１１】
同第二の特徴構成は、同請求項２に記載した通り、上述の第一特徴構成に加えて、前記サムネイル画像ファイルの夫々が、前記本画像ファイルとのリンクデータと前記本画像データに対応するサムネイル画像データとを備えて構成されている点にある。
【００１２】
上述の構成によれば、読み出したサムネイル画像ファイルにサムネイル画像と当該サムネイル画像に対応する本画像ファイルとのリンクデータが含まれるので、当該サムネイル画像とそれに対応する本画像ファイルを確実に対応付けることができ、必要に応じて当該サムネイル画像に対応する本画像ファイルを読み出すことができるようになるのである。
【００１３】
本発明による光ディスクへの画像データ記録方法の第一の特徴構成は、同請求項３に記載した通り、少なくとも本画像データが所定のファイルフォーマットで構成される複数の本画像ファイルを記録する光ディスクへの画像データ記録方法であって、前記本画像ファイルの夫々に対応するサムネイル画像ファイルを生成するサムネイル画像ファイル生成ステップと、前記生成したサムネイル画像ファイルの夫々を記録トラックに沿って連続して配置されるセクタに連続して記録するサムネイル画像ファイル記録ステップとを備えて構成される点にある。
【００１４】
上述の構成によれば、サムネイル画像ファイル生成ステップで生成されたサムネイル画像が、サムネイル画像ファイル記録ステップで記録トラックに沿って連続して配置されるセクタに連続して記録されるので、上述した第一または第二の光ディスクを提供できるようになる。
【００１５】
本発明による光ディスクからの画像データ読出し方法の第一の特徴構成は、同請求項４に記載した通り、上述の第一または第二特徴構成を備えた光ディスクに記録されている複数のサムネイル画像ファイルを前記本画像ファイルの読出し処理に優先して連続して読み出す点にある。
【発明の効果】
【００１６】
以上説明した通り、本発明によれば、複数のサムネイル画像データをレスポンスよく読み出し、迅速にインデックス表示等ができる光ディスク、光ディスクへの画像データ記録方法、及び、光ディスクからの画像データ読出し方法を提供することができるようになった。
【発明を実施するための最良の形態】
【００１７】
以下、本発明による光ディスク、光ディスクへの画像データ記録方法、及び、光ディスクからの画像データ読出し方法の実施の形態について説明する。最初に、本発明による光ディスクの概要について説明する。本発明による光ディスク０１はＣＤ−ＲやＣＤ−ＲＷ等に適用され、図１に示すように、記録トラックの内周側から外周側に沿ってリードインエリア（ＬＩＡ：Lead In Area）０２、プログラムエリア０５、リードアウトエリア（ＬＯＡ：Lead Out Area）０６が設けられ、プログラムエリア０５に複数の本画像ファイルが記録された本画像ファイル記録領域０３と、各本画像ファイルに対応するサムネイル画像ファイルが記録されたサムネイル画像ファイル記録領域０４が形成されている。ここに、前記本画像ファイル記録領域０３は当該光ディスク０１の径方向の外周側に形成され、前記サムネイル画像ファイル記録領域０４は当該光ディスク０１の内周側に形成されている。
【００１８】
前記本画像ファイルはＥｘｉｆ規格により構成される画像ファイルで、ＪＰＥＧ形式等の本画像データ、当該本画像データについての情報や撮影日時等の付加情報、当該本画像データを縮小したサムネイル画像データが含まれている。ここに、前記サムネイル画像データは必ずしも存在するとは限らず、少なくとも本画像データとその属性データのみで構成される場合もある。
【００１９】
図２（ａ）に示すように、各サムネイル画像ファイル０８は、当該サムネイル画像ファイル０８のレコード長等を示すレコード長データブロック０８ａと、当該サムネイル画像ファイル０８に対応する本画像ファイルのファイル名情報またはアドレス情報等で構成されるリンクデータブロック０８ｂと、当該サムネイル画像ファイル０８に対応する本画像ファイルに含まれる本画像データを縮小したサムネイル画像データブロック０８ｃを備えて構成され、それらが順番に配置されるようにフォーマットされた後に、前記サムネイル画像ファイル０８（０８１、０８２、０８３、・・・）の夫々が、図２（ｂ）に示すように、連続したセクタ０９１、０９２、０９３、・・・の夫々に連続して記録される。ここで、前記サムネイル画像ファイル０８のファイル容量が一つのセクタに記録可能な容量よりも大きな場合には、前記サムネイル画像ファイル０８１、０８２、０８３の夫々が複数に分割されて記録トラックに沿って連続するセクタ群１０（１０１、１０２、１０３、・・・）の夫々に連続して記録され、その具体例を図２（ｃ）に示す。
【００２０】
つまり、セクタの集合により構成されているらせん状につながった１本のトラック１１の内周部に前記サムネイル画像ファイル０８が連続して記録され、また、それよりも外周部に前記本画像ファイルが記録される。
【００２１】
前記サムネイル画像ファイルの記録フォーマットはこれに限るものではなく、図３（ａ）に示すように、画像データ長テーブル長さと各サムネイル画像長さを規定する画像データ長テーブルブロック０８Ａと、本画像ファイル名テーブル長さと各サムネイル画像に対応する複数の本画像ファイル名を規定するファイル名テーブルブロック０８Ｂと、各サムネイル画像データブロック０８Ｃ、０８Ｄ、・・・が順番に配置されるようにフォーマットされた後に、前記各ブロック０８Ａ、０８Ｂ、０８Ｃ、０８Ｄ、・・・が、連続したセクタ０９１、０９２、０９３、０９４、・・・の夫々に連続して記録されるように構成するものであってもよい。ここで、前記ブロック０８Ａ、０８Ｂ、０８Ｃ、０８Ｄ、・・・のファイル容量が一つのセクタに記録可能な容量よりも大きな場合には、各ブロック０８Ａ、０８Ｂ、０８Ｃ、０８Ｄ、・・・の夫々が複数に分割されて記録トラックに沿って連続するセクタ群１０（１０１、１０２、１０３、１０４、・・・）の夫々に連続して記録されるのは上述と同様であり、その具体例を図３（ｂ）に示す。
【００２２】
次に、上述した光ディスク０１を得るために、ブランクディスクとしての光ディスク０１Ｂへの前記本画像ファイルやサムネイル画像ファイル０８等の記録方法について説明する。前記ブランクディスクとしての光ディスク０１Ｂに画像データを記録する記録装置の概観構成は、図４に示すように、パーソナルコンピュータ１２と、前記パーソナルコンピュータ１２へ接続されたＣＤ−Ｒ／ＲＷドライバ等といった前記ブランクディスクとしての光ディスク０１Ｂへ画像データを記録するメディアドライバ１３とを備えて構成されている。尚、前記メディアドライバ１３は、画像データ等が記録された他の光ディスク０１Ｘから前記画像データ等を読出すことも可能な構成となっている。また、前記パーソナルコンピュータ１２は、ＣＰＵとメモリ等とを内蔵しており、周辺装置として、操作者からの入力操作を受け付けるキーボード１２ａやマウス１２ｂ等といった入力手段や、操作者への当該パーソナルコンピュータの動作状態を表示するモニター１２ｃ等が接続されている。
【００２３】
前記パーソナルコンピュータ１２における前記ブランクディスクとしての光ディスク０１Ｂへ画像データを記録するための機能ブロック構成は、図５に示すように、前記メディアドライバ１３により他の光ディスク０１Ｘから読出された画像データである複数の本画像ファイルを記憶するメモリ１４と、前記メモリ１４に記憶された本画像ファイルから所定のファイル形式を生成するフォーマッタ部１５とを備えて構成されている。
【００２４】
前記フォーマッタ部１５は、前記メモリ１４に記憶された各本画像ファイルのファイルフォーマットを解析し、前記各本画像ファイルに含まれる高解像度の本画像データまたは前記本画像データが縮小されたサムネイル画像データを抽出するデータ抽出部１６と、前記データ抽出部１６により抽出された本画像データまたはサムネイル画像データから所定のフォーマット形式であるサムネイル画像ファイルを生成するサムネイル画像ファイル生成部１７と、前記メモリ１４に記憶された各本画像ファイルと前記サムネイル画像ファイル生成部１７により生成された各サムネイル画像ファイルを光ディスク０１Ｂに書き込むためのデータフォーマットに変換して、変換後のデータを前記メディアドライバ１３に出力して前記ブランクディスクとしての光ディスク０１Ｂに記録させるファイル出力部１８とを備えて構成されている。
【００２５】
前記データ抽出部１６は、種々のファイルフォーマットで構成される本画像ファイルから前記本画像データまたは前記サムネイル画像データを抽出することが可能なように、各ファイルフォーマットに対応した本画像データ及びサムネイル画像データの抽出アルゴリズムを備え、各本画像ファイルの識別コード等により識別される本画像ファイルのファイルフォーマットに対応する抽出アルゴリズムによって前記本画像データまたは前記サムネイル画像データを抽出するように構成されている。尚、前記本画像ファイルにサムネイル画像データが含まれていない場合には本画像データのみが抽出されるように、また、前記本画像ファイルにサムネイル画像データが含まれている場合には当該サムネイル画像データが抽出されるように構成されている。
【００２６】
前記サムネイル画像ファイル生成部１７は、前記データ抽出部１６によって本画像データが抽出された場合には、前記本画像データを縮小したサムネイル画像データを生成し、前記データ抽出部１６によってサムネイル画像データが抽出された場合には、当該サムネイル画像データを本画像データに対応するサムネイル画像と位置付けて新たなサムネイル画像データの生成は行なわないように構成されている。
【００２７】
前記本画像データを縮小したサムネイル画像データは、例えば、図６に示すように、特定画素Ｐｓ（ｉ，ｊ）となる画素を含んだ目的縮小サイズに応じた所定数の画素群Ｐｇ（ｉ，ｊ）における画素データの平均値を算出し、前記算出された平均値を前記特定画素Ｐｓ（ｉ，ｊ）の新たな画素データとして置換する等といった平滑化処理を実施するとともに、目的縮小サイズとなるように画素の間引き処理を行ない、前記間引き処理により尚もまだ残っている前記新たな画素データとなった画素Ｐｓ’（ｉ，ｊ）の座標を新たな座標Ｐｓ’（ｋ，ｌ）として置換する圧縮処理を行なうことにより生成することができる（ｉ＝０、１，２，・・・，ｍ−１、ｊ＝０、１，２，・・・，ｎ−１、ｋ＝０，１，２，・・・，（ｎ−１）／ｐ、ｌ＝０，１，２，・・・，（ｍ−１）／ｑ、ｐはｙ軸方向の縮小係数、ｑはｘ軸方向の縮小係数）。
【００２８】
また、前記サムネイル画像ファイル生成部１７は、前記データ抽出部１６によって抽出されたサムネイル画像データ、または、前記データ抽出部１６によって抽出された本画像データから当該サムネイル画像ファイル生成部１７によって生成されたサムネイル画像データを主要構成としたサムネイル画像ファイル０８を生成するように構成されている。
【００２９】
前記サムネイル画像ファイル０８は、上述の図２（ａ）で示したように、前記サムネイル画像データ０７と、前記サムネイル画像データに対応する本画像データを含む本画像ファイルのファイル名情報やアドレス情報等からなるリンクデータ０６と、当該サムネイル画像ファイル０７のレコード長等を示すレコード長データ０５等とが含まれるように生成される。
【００３０】
前記ファイル出力部１８は、前記サムネイル画像ファイル生成部１７によって生成された一連のサムネイル画像ファイルの次に前記メモリ１４に記憶された本画像ファイルが記録されるように前記光ディスク０１Ｂに書き込むためのデータフォーマットに変換した後に前記メディアドライバ１３に順次出力するように構成されている。
【００３１】
つまり、前記メディアドライバ１３は、当該メディアドライバ１３にブランクディスクとしての光ディスク０１Ｂがセットされている場合には、前記ブランクディスクとしての光ディスク０１Ｂの内周側のセクタから順に、前記ファイル出力部１８より出力されてくる画像データとしてのサムネイル画像ファイルを順次連続して記録することで、前記ブランクディスクとしての光ディスク０１Ｂの内周側に前記サムネイル画像ファイル０８が連続して記録されたサムネイル画像ファイル記録領域０３を形成し、その後に、前記ファイル出力部１８より出力されてくる同じく画像データとしての本画像ファイルを順次記録することで、前記ブランクディスクとしての光ディスク０１Ｂの外周側に前記本画像ファイル０８が記録された本画像ファイル記録領域０２を形成する。つまり、前記画像データが記録されたブランクディスクとしての光ディスク０１Ｂが本発明の光ディスク０１となる。尚、前記メディアドライバ１３は、前記画像データの書込み終了の後、前記リードインエリアに少なくとも当該光ディスク０１に記録されたサムネイル画像ファイルや本画像ファイルに対する記録情報をＴＯＣとして記録するように構成されている。
【００３２】
上述したファイル出力部１８は、ブランクディスクとしての光ディスク０１Ｂに書き込むデータのフォーマット編集が終了した後に出力するように構成されたものを説明したが、編集と出力を並列に処理するものであってもよい。つまり、フォーマット編集しながら先に編集の終了したデータを出力するように構成するものであってもよい。
【００３３】
以下、前記ブランクディスクとしての光ディスク０１Ｂへの前記本画像ファイルやサムネイル画像ファイル０８等といった画像データの記録動作について、図７に示すフローチャートに基づいて説明する。前記メモリ１４に前記メディアドライバ１３を介して他の光ディスク０１Ｘから本画像ファイルが記憶されると（ＳＡ１）、前記データ抽出部１６は、前記本画像ファイルのフォーマット形式を確認し（ＳＡ２）、所定の抽出アルゴリズムにより前記本画像ファイルに含まれる本画像データまたはサムネイル画像データを抽出する。つまり、前記本画像ファイルにサムネイル画像データが含まれている場合には（ＳＡ３）、当該サムネイル画像データを抽出し（ＳＡ４）、前記本画像ファイルにサムネイル画像データが含まれていない場合には（ＳＡ３）、本画像データを抽出する（ＳＡ５）。
【００３４】
前記サムネイル画像ファイル生成部１７は、前記データ抽出部１６によって本画像データが抽出されている場合に、前記本画像データを縮小したサムネイル画像データを生成する（ＳＡ６）。
【００３５】
また、前記サムネイル画像ファイル生成部１７は、前記データ抽出部１６によって抽出されたサムネイル画像データ、または、前記データ抽出部１６によって抽出された本画像データから当該サムネイル画像ファイル生成部１７によって生成したサムネイル画像データを主要構成としたサムネイル画像ファイル０８を生成する（ＳＡ７）。
【００３６】
前記ファイル出力部１８は、前記メモリ１４に記憶された本画像ファイル全てに対して前記ステップＳＡ２からステップＳＡ８の処理が終了したことを確認し（ＳＡ８）、また、前記メディアドライバ１３にブランクディスクとしての光ディスク０１Ｂがセットされたことを確認すると（ＳＡ９）、前記サムネイル画像ファイル生成部１７によって生成され、フォーマット変換された各サムネイル画像ファイルを前記メディアドライバ１３に順次出力し（ＳＡ１０、ＳＡ１１）、その後、前記メモリ１４に記憶された本画像ファイルを前記メディアドライバ１３に順次出力する（ＳＡ１２、ＳＡ１３）。つまり、前記メディアドライバ１３を介してブランクディスクとしての光ディスク０１Ｂの内周側のセクタから順に、前記ファイル出力部１８より出力されてくる画像データとしてのサムネイル画像ファイルを順次連続して記録する。また、前記ファイル出力部１８より出力されてくる同じく画像データとしての本画像ファイルを順次記録する。
【００３７】
次に、上述したブランクディスクとしての光ディスク０１Ｂに画像データが記録された光ディスク０１からの前記本画像ファイルやサムネイル画像ファイル０８等といった画像データの読出し方法について説明する。前記光ディスク０１から画像データを読出す読出し装置は、上述した図４に示すような、パーソナルコンピュータ１２と、前記パーソナルコンピュータ１２へ接続されたＣＤ−Ｒ／ＲＷドライバ等といったメディアドライバ１３等を備えた記録装置と共用することができる。
【００３８】
上述の光ディスク０１を読み出す前記パーソナルコンピュータ１２には、図８に示すように、前記メディアドライバ１３を介して前記光ディスク０１から前記サムネイル画像ファイル０８を連続して読出すサムネイル画像ファイル読出し部２０と、前記サムネイル画像ファイル０８に対応した本画像ファイルを個別に選択して読出す本画像ファイル読出し部２１とを備えたアプリケーションであるビュワーを備えて構成されている。
【００３９】
以下、前記光ディスク０１からの画像データの読出し動作について、図９のフローチャートを用いて説明する。前記メディアドライバ１３に前記光ディスク０１がセットされると（ＳＢ１）、前記サムネイル画像データ読出し部２０は、前記メディアドライバ１３を介して前記光ディスク０１のリードインエリアに記録されているＴＯＣを読出す（ＳＢ２）。また、前記サムネイル画像データ読出し部２０は、読出したＴＯＣに基づいてサムネイル画像ファイルの格納先頭アドレスを認識して、サムネイル画像ファイル記録領域０４に記憶されている全てのサムネイル画像ファイルを読み出し（ＳＢ３）、前記読み出したサムネイル画像ファイルに含まれているサムネイル画像データに基づいて前記ディスプレイ１２ｃにインデックス用にサムネイル画像を一覧表示する（ＳＢ４）。
【００４０】
操作者から前記キーボード１２ａや前記マウス１２ｂにより特定のサムネイル画像が選択されると（ＳＢ５）、前記本画像データ読出し部２１は前記選択されたサムネイル画像ファイルに付加されているリンクデータである本画像ファイル名の格納アドレスをＴＯＣに基づいて認識し、当該サムネイル画像ファイルに対応する本画像ファイルを読み出し（ＳＢ６）、前記読み出した本画像ファイルに含まれている本画像データを前記ディスプレイ１２ｃに本画像として表示する（ＳＢ７）。
【００４１】
つまり、本発明による光ディスクからの画像データ読出し方法によれば、連続したセクタにその主要構成がサムネイル画像データからなる複数のサムネイル画像ファイルを連続して記録させておき、前記複数のサムネイル画像ファイルの読出し時に、前記複数のサムネイル画像ファイルを連続して読出すことにより、サムネイル画像の読出しレスポンスを、更には、前記ディスプレイ１２ｃへの表示レスポンスを向上することができるのである。
【００４２】
以下、別の実施形態について説明する。上述では、前記光ディスク０１の内周側にサムネイル画像ファイル記録領域０３を形成し、前記光ディスク０１の外周側に本画像ファイル記録領域０２を形成した場合について説明したが、前記光ディスク０１の外周側にサムネイル画像ファイル記録領域を形成し、前記光ディスク０１の内周側に本画像ファイル記録領域を形成してもよい。前記サムネイル画像ファイルと本画像ファイルが前記ブランクディスクとしての光ディスク０１へ記録される順序を変更すればよい。ただし、前記光ディスク０１の内周側にサムネイル画像ファイル記録領域を形成し、前記光ディスク０１の外周側に本画像ファイル記録領域０２を形成した場合には、前記リードインエリアに記録されているＴＯＣを読出した後、前記サムネイル画像ファイルを読出すために行なうピックアップのシーク時間を削減することができるため、前記サムネイル画像データの読出しレスポンスを更に向上することができ好都合である。つまり、前記ＴＯＣを読出した後、本画像ファイルよりも先に前記サムネイル画像ファイルを読出すため、前記サムネイル画像ファイルが、前記ＴＯＣが記録されているリードインエリアに近い領域に記録されていることが好ましいのである。
【００４３】
上述した光ディスク０１からの画像データ読み出すアプリケーションプログラムであるビュワーが、前記光ディスク０１に記録されるものであってもよい。この場合、前記ファイル出力部１８により書込みデータにビュワープログラムが追加された状態でフォーマット変換された後に書き込み出力するように構成すればよい。このとき、前記光ディスク０１の読出し動作時に自動起動するように構成してもよい。
【００４４】
上述した何れの実施形態も、本発明の一例に過ぎず、本発明の作用効果を奏する範囲において各ブロック等の具体的構成を適宜変更設計できることは言うまでもない。
【図面の簡単な説明】
【００４５】
【図１】サムネイル画像ファイルが記録されているサムネイル画像ファイル記録領域と、本画像ファイルが記録されている本画像ファイル記録領域の説明図。
【図２】（ａ）はサムネイル画像ファイルに含まれるデータの説明図、（ｂ）は各サムネイル画像ファイルが連続したセクタ、または、セクタ群に連続して記録されている状態の説明図、（ｃ）は具体例の説明図
【図３】（ａ）は各ブロックに含まれるデータと、前記各ブロックが連続したセクタ、または、セクタ群に連続して記録されている状態との説明図、（ｂ）は具体例の説明図
【図４】ブランクディスクとしての光ディスクに画像データを記録する記録装置の概観構成の説明図
【図５】ブランクディスクとしての光ディスクへ画像データを記録するための機能ブロック構成の説明図
【図６】本画像データを縮小したサムネイル画像データの生成例の説明図
【図７】ブランクディスクとしての光ディスクへの画像データの記録動作を説明するためのフローチャート
【図８】光ディスクから画像データを読出すための機能ブロック構成の説明図
【図９】光ディスクからの画像データの読出し動作を説明するためのフローチャート
【図１０】Ｅｘｉｆ規格の説明図
【図１１】従来技術における画像ファイルの記録形態の説明図
【符号の説明】
【００４６】
０１：光ディスク
０２：本画像ファイル記録領域
０３：サムネイル画像ファイル記録領域
０５：レコード長データ
０６：リンクデータ
０７：サムネイル画像データ
０８：サムネイル画像ファイル
０９、０９１、０９２、０９３、０９４：セクタ
１０、１０１、１０２、１０３、１０４：セクタ群
１１：トラック
【図１】
2006302352.tif 000003
【図２】
2006302352.tif 000004
【図３】
2006302352.tif 000005
【図４】
2006302352.tif 000006
【図５】
2006302352.tif 000007
【図６】
2006302352.tif 000008
【図７】
2006302352.tif 000009
【図８】
2006302352.tif 000010
【図９】
2006302352.tif 000011
【図１０】
2006302352.tif 000012
【図１１】
2006302352.tif 000013